(57)【要約】【課題】操作性の良いユーザインターフェースを有する情報処理システムを提供する。【解決手段】所定の場所を示す図を表示する表示部と、図上の指定位置の状況を指定する第１操作の入力と、図上で任意の位置を指定する第２操作の入力とを受け付ける入力部と、第１操作に対応する第１情報と、第２操作に対応する第２情報とを送信する端末通信部とを有する端末と、第１通信部が送信した第１情報及び第２情報を受信する情報処理装置通信部と、第２情報に基づき指定位置を特定する情報と、第１情報に基づき指定位置の状況を特定する情報とを記憶する記憶部と、第１情報及び第２情報に基づき、記憶部を参照して、指定位置と指定位置の状況とを特定し、特定した指定位置の状況を特定した指定位置に対応付けて記憶部に記憶する処理部とを有する情報処理装置とを備える。【選択図】図１
2016167225.tif 000002
【特許請求の範囲】
【請求項１】
所定の場所を示す図を表示する表示部と、
前記図上の指定位置の状況を指定する第１操作の入力を受け付けるとともに、前記図上で任意の位置を指定する第２操作の入力を受け付ける入力部と、
前記第１操作に対応する第１情報と、前記第２操作に対応する第２情報とを送信する端末通信部と
を有する端末と、
前記端末通信部が送信した前記第１情報及び前記第２情報を受信する情報処理装置通信部と、
前記第２情報に基づき前記指定位置を特定する情報と、前記第１情報に基づき前記指定位置の状況を特定する情報とを記憶する記憶部と、
前記第１情報及び前記第２情報に基づき、前記記憶部を参照して、前記指定位置と前記指定位置の状況とを特定し、前記特定した指定位置の状況を前記特定した指定位置に対応付けて前記記憶部に記憶する処理部と
を有する情報処理装置と
を備えることを特徴とする情報処理システム。
【請求項２】
所定の場所を示す図を表示する表示部と、
前記図上の指定位置の状況を指定する第１操作の入力を受け付けるとともに、前記図上で任意の位置を指定する第２操作の入力を受け付ける入力部と、
前記第２操作に係る第２情報に基づき前記指定位置を特定する情報と、前記第１操作に係る第１情報に基づき前記指定位置の状況を特定する情報とを記憶する記憶部と、
前記第１情報及び前記第２情報に基づき、前記記憶部を参照して、前記指定位置と前記指定位置の状況とを特定し、前記特定した指定位置の状況を前記特定した指定位置に対応付けて前記記憶部に記憶する処理部と
を備えることを特徴とする情報処理システム。
【請求項３】
前記第２操作が、前記第１操作に続いて行われる
ことを特徴とする請求項１又は２に記載の情報処理システム。
【請求項４】
前記入力部の入力面と前記表示部の表示面とが一体的に構成されていて、
前記第１操作が、前記表示部に表示されたアイコンに対して触れる操作であり、
前記第２操作が、前記第１操作で触れたアイコンに触れたまま前記図上の任意の位置まで移動して離す操作である
ことを特徴とする請求項１から３の何れか１項に記載の情報処理システム。
【請求項５】
前記処理部が、前記記憶部に記憶した前記指定位置の状況を、他の端末に対して提供する
ことを特徴とする請求項１から４の何れか１項に記載の情報処理システム。
【請求項６】
前記処理部が、前記記憶部に記憶した前記指定位置の状況を、権限に応じて異なる態様で他の端末に対して提供する
ことを特徴とする請求項１から５の何れか１項に記載の情報処理システム。
【請求項７】
前記処理部が、前記記憶部に記憶した前記指定位置の状況に応じて、前記指定位置用の設備を制御する
ことを特徴とする請求項１から６の何れか１項に記載の情報処理システム。
【請求項８】
前記設備が、前記指定位置で用いられる電気機器である
ことを特徴とする請求項７に記載の情報処理システム。
【請求項９】
端末において、
表示部で、所定の場所を示す図を表示するステップと、
入力部で、前記図上の指定位置の状況を指定する第１操作の入力を受け付けるとともに、前記図上で任意の位置を指定する第２操作の入力を受け付けるステップと、
端末通信部で、前記第１操作に対応する第１情報と、前記第２操作に対応する第２情報とを送信するステップと、
情報処理装置において、
前記第２情報に基づき前記指定位置を特定する情報と、前記第１情報に基づき前記指定位置の状況を特定する情報とを記憶する記憶部を用いて、
情報処理装置通信部で、前記端末通信部が送信した前記第１情報及び前記第２情報を受信するステップと、
処理部で、前記第１情報及び前記第２情報に基づき、前記記憶部を参照して、前記指定位置と前記指定位置の状況とを特定し、前記特定した指定位置の状況を前記特定した指定位置に対応付けて前記記憶部に記憶するステップと
を含むことを特徴とする情報処理方法。
【請求項１０】
端末のコンピュータに、
表示部で、所定の場所を示す図を表示するステップと、
入力部で、前記図上の指定位置の状況を指定する第１操作の入力を受け付けるとともに、前記図上で任意の位置を指定する第２操作の入力を受け付けるステップと、
端末通信部で、前記第１操作に対応する第１情報と、前記第２操作に対応する第２情報とを送信するステップと、
情報処理装置において、
前記第２情報に基づき前記指定位置を特定する情報と、前記第１情報に基づき前記指定位置の状況を特定する情報とを記憶する記憶部を用いて、
情報処理装置通信部で、前記端末通信部が送信した前記第１情報及び前記第２情報を受信するステップと、
処理部で、前記第１情報及び前記第２情報に基づき、前記記憶部を参照して、前記指定位置と前記指定位置の状況とを特定し、前記特定した指定位置の状況を前記特定した指定位置に対応付けて前記記憶部に記憶するステップと
を実行させるためのプログラム。
【発明の詳細な説明】
【技術分野】
【０００１】
本発明は、情報処理システム、情報処理方法及びプログラムに関する。
【背景技術】
【０００２】
近年、スマートフォン、タブレット端末等のタッチパネルを備えた携帯型端末が普及してきている。また、ＩＴ（情報技術）化において、スマートフォンを端末として用いる技術が検討されている。例えば、ＰＣ（パーソナルコンピュータ）に代えて、スマートフォンを端末として用いる場合、タッチパネルを用いたユーザインターフェースにおける操作性の確保が課題となる。ユーザがタッチパネルから入力した結果を、同タッチパネルの表示で容易に確認できるように表示されているとは限らない（例えば、特許文献１参照）。
【先行技術文献】
【特許文献】
【０００３】
【特許文献１】特開２０１０−７２６６７号公報
【発明の概要】
【発明が解決しようとする課題】
【０００４】
本発明は、上記のような事情に鑑みてなされたもので、ユーザインターフェースの操作性を良くすることができる情報処理システム、情報処理方法及びプログラムを提供する。
【課題を解決するための手段】
【０００５】
上述した課題を解決するために、本発明の一態様は、所定の場所を示す図を表示する表示部と、前記図上の指定位置の状況を指定する第１操作の入力を受け付けるとともに、前記図上で任意の位置を指定する第２操作の入力を受け付ける入力部と、前記第１操作に対応する第１情報と、前記第２操作に対応する第２情報とを送信する端末通信部とを有する端末と、前記端末通信部が送信した前記第１情報及び前記第２情報を受信する情報処理装置通信部と、前記第２情報に基づき前記指定位置を特定する情報と、前記第１情報に基づき前記指定位置の状況を特定する情報とを記憶する記憶部と、前記第１情報及び前記第２情報に基づき、前記記憶部を参照して、前記指定位置と前記指定位置の状況とを特定し、前記特定した指定位置の状況を前記特定した指定位置に対応付けて前記記憶部に記憶する処理部とを有する情報処理装置とを備えることを特徴とする情報処理システムである。
【０００６】
また、本発明の一態様は、所定の場所を示す図を表示する表示部と、前記図上の指定位置の状況を指定する第１操作の入力を受け付けるとともに、前記図上で任意の位置を指定する第２操作の入力を受け付ける入力部と、前記第２操作に係る第２情報に基づき前記指定位置を特定する情報と、前記第１操作に係る第１情報に基づき前記指定位置の状況を特定する情報とを記憶する記憶部と、前記第１情報及び前記第２情報に基づき、前記記憶部を参照して、前記指定位置と前記指定位置の状況とを特定し、前記特定した指定位置の状況を前記特定した指定位置に対応付けて前記記憶部に記憶する処理部とを備えることを特徴とする情報処理システムである。
【０００７】
また、本発明の一態様は、上記の情報処理システムにおいて、前記第２操作が、前記第１操作に続いて行われることを特徴とする。
【０００８】
また、本発明の一態様は、上記の情報処理システムにおいて、前記入力部の入力面と前記表示部の表示面とが一体的に構成されていて、前記第１操作が、前記表示部に表示されたアイコンに対して触れる操作であり、前記第２操作が、前記第１操作で触れたアイコンに触れたまま前記図上の任意の位置まで移動して離す操作であることを特徴とする。
【０００９】
また、本発明の一態様は、上記の情報処理システムにおいて、前記処理部が、前記記憶部に記憶した前記指定位置の状況を、他の端末に対して提供することを特徴とする。
【００１０】
また、本発明の一態様は、上記の情報処理システムにおいて、前記処理部が、前記記憶部に記憶した前記指定位置の状況を、権限に応じて異なる態様で他の端末に対して提供することを特徴とする。
【００１１】
また、本発明の一態様は、上記の情報処理システムにおいて、前記処理部が、前記記憶部に記憶した前記指定位置の状況に応じて、前記指定位置用の設備を制御することを特徴とする。
【００１２】
また、本発明の一態様は、上記の情報処理システムにおいて、前記設備が、前記指定位置で用いられる電気機器であることを特徴とする。
【００１３】
また、本発明の一態様は、端末において、表示部で、所定の場所を示す図を表示するステップと、入力部で、前記図上の指定位置の状況を指定する第１操作の入力を受け付けるとともに、前記図上で任意の位置を指定する第２操作の入力を受け付けるステップと、端末通信部で、前記第１操作に対応する第１情報と、前記第２操作に対応する第２情報とを送信するステップと、情報処理装置において、前記第２情報に基づき前記指定位置を特定する情報と、前記第１情報に基づき前記指定位置の状況を特定する情報とを記憶する記憶部を用いて、情報処理装置通信部で、前記端末通信部が送信した前記第１情報及び前記第２情報を受信するステップと、処理部で、前記第１情報及び前記第２情報に基づき、前記記憶部を参照して、前記指定位置と前記指定位置の状況とを特定し、前記特定した指定位置の状況を前記特定した指定位置に対応付けて前記記憶部に記憶するステップとを含むことを特徴とする情報処理方法である。
【００１４】
また、本発明の一態様は、端末のコンピュータに、表示部で、所定の場所を示す図を表示するステップと、入力部で、前記図上の指定位置の状況を指定する第１操作の入力を受け付けるとともに、前記図上で任意の位置を指定する第２操作の入力を受け付けるステップと、端末通信部で、前記第１操作に対応する第１情報と、前記第２操作に対応する第２情報とを送信するステップと、情報処理装置において、前記第２情報に基づき前記指定位置を特定する情報と、前記第１情報に基づき前記指定位置の状況を特定する情報とを記憶する記憶部を用いて、情報処理装置通信部で、前記端末通信部が送信した前記第１情報及び前記第２情報を受信するステップと、処理部で、前記第１情報及び前記第２情報に基づき、前記記憶部を参照して、前記指定位置と前記指定位置の状況とを特定し、前記特定した指定位置の状況を前記特定した指定位置に対応付けて前記記憶部に記憶するステップとを実行させるためのプログラムである。
【発明の効果】
【００１５】
本発明によれば、ユーザが、指定位置の状況を指定する第１操作と、表示部に表示された所定の場所を示す図において任意の位置を指定する第２操作とを行うことで、処理部が、指定位置と指定位置の状況とを特定し、特定した指定位置の状況を特定した指定位置に対応付けて記憶部に記憶する。指定位置と指定位置の状況とを指定する操作を、ユーザは、指定位置の状況を指定する第１操作と図上で任意の位置を指定する第２操作との２つの操作で行うことができる。したがって、第１操作と第２操作からなる入力操作を、２タッチ又は１タッチとスライドによる簡単な操作とすることができる。よって、ユーザインターフェースの良好な操作性を容易に確保することできる。ここで、第１操作は、例えば、所定のアイコンに対するタッチあるいはアイコンのドラッグの開始とすることができる。また、第２操作は、図上の任意の位置に対するタッチあるいはドラッグしたアイコンの図上の任意の位置へのドロップとすることができる。
【図面の簡単な説明】
【００１６】
【図１】本発明の実施形態による情報処理システムの構成を説明するための概略ブロック図である。
【図２】本発明の実施形態による表示部１１の表示画面の一例を説明するための説明図である。
【図３】本発明の実施形態による表示部１１の表示画面の領域７に表示する図の一例を説明するための説明図である。
【図４】本発明の実施形態による端末１の動作例を説明するためのフローチャートである。
【図５】本発明の実施形態による表示部１１の表示画面の一例を説明するための説明図である。
【図６】本発明の実施形態による表示部１１の表示画面の一例を説明するための説明図である。
【図７】本発明の実施形態による表示部１１の表示画面の一例を説明するための説明図である。
【図８】本発明の実施形態による端末１の動作例を説明するための説明図である。
【図９】本発明の実施形態による記憶部２１の構成例を説明するための説明図である。
【図１０】本発明の実施形態による記憶部２１の構成例を説明するための説明図である。
【図１１】本発明の実施形態による情報処理装置２の動作例を説明するためのフローチャートである。
【図１２】本発明の実施形態による記憶部２１の構成例を説明するための説明図である。
【図１３】本発明の実施形態による表示部１１の表示画面の一例を説明するための説明図である。
【図１４】本発明の実施形態による表示部１１の表示画面の一例を説明するための説明図である。
【図１５】本発明の実施形態による表示部１１の表示画面の一例を説明するための説明図である。
【図１６】本発明の実施形態による表示部１１の表示画面の一例を説明するための説明図である。
【発明を実施するための形態】
【００１７】
以下、図面を参照して本発明の実施の形態について説明する。
【００１８】
なお、以下の説明において、場所及び位置は次の意味で用いる。すなわち、場所及び位置は、どちらも空間的又は平面的な広がりを持つ領域を意味する。ただし、場所は、複数の位置を含むものとする。また、位置が意味する領域は、区域及び地点の両者を含む。なお、以下の説明において、所定とは予め決められている（あるいは、登録されている）という意味である。また、指定位置は、ユーザが指定した位置という意味である。したがって、所定の場所とは、空間的又は平面的な広がりを有する予め決められた領域であり、例えば、建物、フロア、部屋等に対応する。また、指定位置は、所定の場所が含む空間的又は平面的な広がりを有する複数の領域のうちで、ユーザが指定した領域である。例えば、所定の場所が建物である場合、指定位置は当該建物においてユーザが指定したフロア、部屋、区域又は地点等に対応する。また、例えば、所定の場所がフロアである場合、指定位置は当該フロアにおいてユーザが指定した部屋、区域又は地点等に対応する。
【００１９】
また、指定位置の状況とは、例えば、指定位置が応接室、会議室等の部屋である場合、その部屋に在室中の来客の人数、来客にＶＩＰ（Very Important Person）が含まれる場合にＶＩＰとＶＩＰ以外の人数、その部屋が使用されている形態又は使用されようとする形態などであり、スライド上映、質疑、打ち合わせ、会議等の開始５分前等の状態などである。ここで、指定位置の状況は、現在の状況とユーザが求める将来の状況とを含む。ただし、これらは一例であって、指定位置の状況はこれらに限定されない。
【００２０】
図１は、本発明の実施形態による情報処理システムの構成を説明するための概略ブロック図である。情報処理システム１００は、端末１と、情報処理装置２とを備えている。端末１と情報処理装置２とは、図示していない無線や有線の通信回線を介して接続される。端末１は、ユーザの入力操作に基づき、第１情報と第２情報とを生成し、情報処理装置２に対して送信する。第１情報は、指定位置の状況を特定する情報である。第２情報は、指定位置を特定する情報である。情報処理装置２は、図示していない無線や有線の通信回線を介して設備制御装置３と接続され、第１情報と第２情報と基づき、指定位置と指定位置の状況とを特定し、特定した指定位置と指定位置の状況を記憶する。情報処理装置２は、記憶した特定した指定位置と指定位置の状況に係る情報を端末１に対して提供したり、特定した指定位置の状況に応じて設備を制御するため所定の指示を設備制御装置３に対して送信したりする。端末１は、情報処理装置２から提供された情報を表示部に表示する。また、設備制御装置３は、情報処理装置２の指示に従い、指定位置用に設置された照明設備３１、空調設備３２、入退出管理設備３３、音響設備３４等を制御する。
【００２１】
端末１は、インターネット、ローカルエリアネットワーク等における通信回線を介して各種サーバ等と通信可能な携帯型の情報端末（クライアント）であり、スマートフォン、携帯電話、ノート型ＰＣ（Ｐｅｒｓｏｎａｌ  Ｃｏｍｐｕｔｅｒ）、タブレット型ＰＣ、携帯型ゲーム機等のスマートデバイスを適用することができる。ここでは、端末１は、スマートフォンであるものとして説明する。情報処理システム１００では、複数のユーザがそれぞれ利用している各端末１が、通信回線を介して情報処理装置２に接続される。
【００２２】
図１の概略ブロック図１において、端末１は、表示部１１と入力部１２とを含むタッチパネル１３と、通信部（端末通信部）１４とを備える。表示部１１、入力部１２、タッチパネル１３及び通信部１４は、ＣＰＵ（中央処理装置）、ＭＰＵ（超小型演算装置）等のプロセッサ及びその周辺装置と、プロセッサが実行するプログラムとの組み合わせから構成された機能ブロックである。表示部１１、入力部１２、タッチパネル１３又は通信部１４を構成するプロセッサやプログラムは、各ブロックにそれぞれ設けられていてもよいし、複数のブロックで共用されていてもよい。
【００２３】
タッチパネル１３を構成する表示部１１の表示面と入力部１２の入力面とは重ね合わせて一体として構成されている。表示部１１は、画像や文字等の情報を表示する液晶ディスプレイや有機ＥＬ（Electro-Luminescence）ディスプレイ等の表示装置を備えている。入力部１２は、表示部１１の表示面上における接触を検知することにより、ユーザからの操作入力を受け付ける。例えば、入力部１２は、静電容量の変化、圧力の変化、電気抵抗の変化などを利用して接触を検出するタッチセンサを備えている。入力部１２は、ユーザからの操作入力を受け付けると、受け付けた操作入力に応じた操作入力信号を通信部１４に供給する。
【００２４】
本実施形態において表示部１１は、所定の場所を示す図を表示する。所定の場所とは、上述したように空間的又は平面的な広がりを有する予め決められた領域であり、例えば１棟の建物、建物の１フロア、建物内の１又は複数の部屋、１フロア又は１部屋内の１又は複数の区域等に対応し、例えば予め１つに決められていたり、複数用意されたもののなかからユーザによって選択されたりしたものである。所定の場所を示す図とは、例えばその場所を示す平面図であって、その場所内の位置関係を示す表示情報を含むものである。位置関係を示す表示情報とは、例えば、方角を表す印であったり、壁、柱、扉、窓、階段、エレベータ、エスカレータ等の建物の構成要素であったり、机、間仕切り等の什器であったり、場所の名称（例えば部屋の名称）、部署名、個人名等を表す文字情報であったり、それらを示すシンボルであったりする。なお、所定の場所は、屋内に限らず、屋外であってもよい。
【００２５】
また、表示部１１は、表示した図上の指定位置の状況を指定する第１操作の入力を入力部１２が受け付けるための複数のボタンを表示する。また、入力部１２は、表示した図上で任意の位置を指定する第２操作の入力を受け付ける。第１操作は、ボタンに対するタッチやタッピング、ボタンをドラッグする際のタッチしたままスライドさせるドラッグ操作を開始するタッチ等とすることができる。第２操作は、表示した図上で任意の位置をタッチやタッピングしたり、第１操作でタッチしたボタンをタッチしたまま図上の任意の位置までドラッグしてドロップしたりする操作等とすることができる。また、第１操作と第２操作との関連づけは、操作の順序、ドラッグ操作などによるものとする。すなわち、例えば、第１操作とそれに続く第２操作とを互いに関連づけることができる。
【００２６】
また、設備制御装置３は、照明設備３１、空調設備３２、入退出管理設備３３、音響設備３４の少なくとも何れかの設備を含む各設備を制御する。設備制御装置３は、情報処理装置２から送信された制御信号を受信し、受信した制御信号に従って照明設備３１、空調設備３２等を制御したり、入退出管理設備３３が取得した人の各部屋への入退室を表す情報を情報処理装置２に対して供給したり、音響設備３４を用いて音楽や音声を放送したりする。ここで、照明設備３１、空調設備３２、入退出管理設備３３及び音響設備３４は、指定位置で用いられる電気機器である。
【００２７】
照明設備３１は、設備制御装置３からの制御に応じて、対象の建物内の所定の領域・部屋等の照度を、当該領域・部屋等毎に調整する。
【００２８】
空調設備３２は、設備制御装置３からの制御に応じて、対象の建物内の所定の領域・部屋等の温湿度環境を、当該領域・部屋等毎に調整する。
【００２９】
入退出管理設備３３は、対象の建物及び建物内の所定の領域・部屋等に入場退出する人を管理する。また、入退出管理設備３３は、対象の建物及び建物内の所定の領域・部屋等の出入り口に設けた鍵を自動で施錠したり解錠したり、あるいは登録されたＩＤ（識別情報）が所定の認証方式で確認された場合に解錠したりする制御を行う構成（例えばドアロック装置、ＩＤ認証装置等）を含んでいる。また、入退出管理設備６は、例えば、予め登録されている社員（＝従業員）がどの領域・部屋等にいるのかを例えば常に把握している。
【００３０】
音響設備３４は、対象の建物内の所定の領域・部屋毎に設けられていて、設備制御装置３から有線や無線で送信されてきたデジタル又はアナログの信号を音に変換して出力する。また、音響設備３４は、設備制御装置３からの制御に応じて、オン又はオフする。また、音響設備３４は、所定の領域・部屋に、有線や無線でデジタル又はアナログの信号を入力する装置（例えばマイクの入力装置）を有し、入力された信号を音に変換して出力する。音響設備３４は、設備制御装置３からの制御に応じて、例えば、所定のＢＧＭ（背景音楽）を放送したり、会議等の開催５分前等の音声メッセージを放送したりするために使用することができる。
【００３１】
図２は、本実施形態において、表示部１１が表示する表示画面の一例を示した図である。図２に示した表示画面１１ａは、指定位置の状況を指定するボタン６１及び６２を表示する領域６と、所定の場所を示す図（７１）を表示する領域７とを同一の画面に表示する。ここで、括弧内の数字７１は図面上の符号である。この例では、領域６は、来客１名が在室しているという状況を指定するためのボタン６１と、ＶＩＰの来客１名が在室しているという状況を指定するためのボタン６２とを含む。ボタン６１とボタン６２とは互いに異なる文字や、図形の形状を有したり、異なる表示色で表示されたりする。なお、本願においては、ボタンはアイコンの一形態であるとする。
【００３２】
図（７１）は、平面図であり、この例では新大橋ビルの２階フロアの一部の範囲を表示している。すなわち、新大橋ビルの２階フロアの全体図が例えば図３に示した図（７３）である場合、図２の図（７１）は図（７３）上で破線で囲んだ一部の範囲に対応している。図（７３）も、図（７１）と同様、本実施形態における所定の場所を示す図である。この例では、新大橋ビルの２階フロアに応接室Ａ７２ａからＦ７２ｆが設けられていて、図（７３）及び図（７１）には応接室Ａ７２ａからＦ７２ｆ（あるいはその一部）を表す図形が表示されている。表示部１１は、入力部１２に対するユーザのタッチ操作に応じて、図２の領域７に表示する図（７１）を拡大あるいは縮小したり、スクロールしたりする。
【００３３】
ここで、図４から図８を参照して、図２の表示画面１１ａに対するユーザの入力操作について一例を説明する。図４は、端末１の入力操作に対する動作の一例を説明するためのフローチャートである。図５から図７は、図２の表示画面１１ａの表示内容の変化を表示画面１１ｂから１１ｄとして示した説明図である。そして、図８は、図３に示した全体図（７３）に、座標系の原点Ｏとボタンの入力位置９１ｐから９３ｐを追記した説明図である。ここでは、表示部１１が図２に示した表示画面１１ａを表示した状態で、ユーザが図（７１）内の応接室Ａ７２ａに来客が３名在室していて、３名のうち１名がＶＩＰであるという状況を指定する入力操作を行う場合について説明する。この場合、所定の場所が新大橋ビルの２階フロアであり、指定位置が応接室Ａ７２ａである。また、指定位置の状況が来客が３名で３名中１名がＶＩＰであるという状況である。この場合、ユーザは、来客１名が在室しているという状況を指定するためのボタン６１に対して２回の入力操作を行い、また、ＶＩＰの来客１名が在室しているという状況を指定するためのボタン６２に対して１回の入力操作を行う。
【００３４】
ユーザは、例えば所定のアプリケーションプログラムを起動し、場所の選択等を行うことで図２に示した表示画面１１ａを表示部１１に表示する。そして、図２に示した表示画面１１ａが表示部１１に表示された状態で、図５に示したように、ユーザはまず領域６内のボタン６１にタッチし、続いて軌跡８１で示したようにボタン６１をドラッグして（タッチしたままでスライドさせ）図（７１）上の応接室Ａ７２ａを表す図形の中でドロップする（タッチを止める）。このボタン６１にタッチする入力操作が、指定位置の状況を指定する第１操作である。また、ボタン６１を図（７１）の任意の位置９１までドラッグしてドロップする入力操作が図（７１）上で任意の位置を指定する第２操作である。
【００３５】
図５に示したように、ユーザがボタン６１にタッチし、図（７１）上の任意の位置９１までドラッグしてドロップすると、図４のステップＳ１１において、入力部１２は、タッチされた時点でボタン６１がタッチされたこと（すなわち第１操作）を検知し、次に表示部１１がボタン６１を通常の状態（例えば図２に示した上端及び左端の黒枠が無い表示）から選択された状態（例えば図５に示した上端及び左端の黒枠が有る表示）のアイコンに切り換えて表示する。また、ユーザが第１操作でタッチしたボタン６１を図（７１）上の任意の位置９１までドラッグしてドロップすると、ステップＳ１１において、入力部１２は、ボタン６１が図（７１）上の位置９１までドラッグしてドロップされたこと（第２操作）を検知する。一方、ステップＳ１１において、表示部１１は、入力部１２がボタン６１のドロップを検知すると、ドロップされた位置９１でボタン６１を継続して表示する。
【００３６】
また、ステップＳ１１で、表示部１１は、例えば、ボタン６１がドロップされてから所定時間が経過したところで入力操作を完了するか継続するかを確認する図示していない表示を行い、ユーザが継続する旨の入力操作を行った場合、あるいは、所定時間経過前に次の第１操作を行った場合、入力部１２は、再度、第１操作の入力状態となる。
【００３７】
この例では、所定時間が経過する前、あるいは、継続する旨の入力操作を行った後、図６に示したように、ユーザはまず領域６内のボタン６１に再度、タッチし、続いて軌跡８２で示したようにボタン６１をドラッグして図（７１）上の応接室Ａ７２ａを表す図形の中でドロップする。ユーザがボタン６１にタッチし、図（７１）上の任意の位置９２までドラッグしてドロップすると、ステップＳ１１において、入力部１２は、タッチされた時点でボタン６１がタッチされたこと（第１操作）を検知する。また、ユーザがタッチしたボタン６１を図（７１）上の任意の位置９２までドラッグしてドロップすると、ステップＳ１１において、入力部１２は、ボタン６１が図（７１）上の位置９２までドラッグしてドロップされたこと（第２操作）を検知する。一方、ステップＳ１１において、表示部１１は、入力部１２がボタン６１のドロップを検知すると、ドロップされた位置９２でボタン６１を継続して表示する。
【００３８】
また、ステップＳ１１で、表示部１１は、ボタン６１がドロップされてから所定時間が経過したところで入力操作を完了するか継続するかを確認する図示していない表示を行い、ユーザが継続する旨の入力操作を行った場合、あるいは、所定時間経過前に次の第１操作を行った場合、入力部１２は、再度、第１操作の入力状態となる。
【００３９】
この例では、所定時間が経過する前、あるいは、継続する旨の入力操作を行った後、図７に示したように、ユーザはまず領域６内のボタン６２に、タッチし、続いて軌跡８３で示したようにボタン６２をドラッグして図（７１）上の応接室Ａ７２ａを表す図形の中でドロップする。ユーザがボタン６２にタッチし、図（７１）上の任意の位置９３までドラッグしてドロップすると、ステップＳ１１において、入力部１２は、タッチされた時点でボタン６２がタッチされたこと（第１操作）を検知する。また、ユーザがタッチしたボタン６２を図（７１）上の任意の位置９３までドラッグしてドロップすると、ステップＳ１１において、入力部１２は、ボタン６２が図（７１）上の位置９３までドラッグしてドロップされたこと（第２操作）を検知する。一方、ステップＳ１１において、表示部１１は、入力部１２がボタン６２のドロップを検知すると、ドロップされた位置９３でボタン６２を継続して表示する。
【００４０】
また、ステップＳ１１で、表示部１１は、ボタン６２がドロップされてから所定時間が経過したところで入力操作を完了するか継続するかを確認する図示していない表示を行い、ここでユーザが完了する旨の入力操作を行った場合、通信部１４は、次のようにして第１操作に対応する第１情報と第２操作に対応する第２情報とを生成し、情報処理装置２へ送信する。
【００４１】
すなわち、通信部１４は、ステップＳ１１で入力部１２が受け付けた入力操作である３組の第１及び第２操作に基づき、１組の第１及び第２情報を生成し、情報処理装置２に対して送信する（ステップＳ１２）。ここで第１情報は、第１操作で選択されたボタン６１又は６２の種類と回数を表す。第２情報は、ボタン６１又は６２がドロップされた位置の図（７１）上の座標を表す。通信部１４は、ボタン６１又は６２の種類（例えばボタン６１又は６２の識別情報）と各ボタンの入力回数を第１情報として、また、ボタン６１又は６２の種類（例えばボタン６１又は６２の識別情報）とボタン６１又は６２がドロップされた各位置を示す各座標を第２情報として、情報処理装置２に対して送信する（ステップＳ１２）。例えば図８に示したように、通信部１４は、ボタン６１又は６２がドロップされた位置９１から９３の座標を、全体図（７３）の左上隅の座標を原点Ｏとする所定の直交座標系において、各位置９１から９３における各ボタンの中心位置である入力位置９１ｐから９３ｐに対応した座標で表すことができる。
【００４２】
なお、通信部１４は、第１情報と第２情報とを情報処理装置２に対して送信する際に、例えば、端末１の識別情報、ユーザの識別情報等をあわせて情報処理装置２に対して送信してもよい。また、端末１の表示部１１が表示する全体図（７３）は、例えば情報処理装置２から端末１に対して事前に送信して、端末１内の所定の記憶装置に一時的に記憶することができる。この場合、情報処理装置２は、端末１で表示している図あるいは場所を、端末１から図（７３）の識別情報等の提供を受けることなく、認識することができる。ただし、例えば、端末１が複数の場所の全体図を記憶している場合、ユーザがどの場所の全体図を選択したのかということを、通信部１４は、第１情報及び第２情報とともに、情報処理装置２に対して送信する。
【００４３】
なお、図５から図７を参照して説明した表示部１１の表示画面の形式は、一例であって限定されない。例えば、ドロップした位置９１から９３で表示するボタンの大きさを縮小して表示したり、あるいは他のアイコンに変更したり、ドロップ後にボタンを表示する位置をユーザがドロップした位置から変更したりしてもよい。ドロップ後の位置を変更する場合、例えば種類毎にボタンやアイコンを整列して表示したり重ねて表示したり、また、ボタンやアイコンの個数を数字等を使用して表示したりすることができる。また、上記の例では、指定位置を１部屋としたが、指定位置を２以上の部屋としてもよい。
【００４４】
一方、図１に示した情報処理装置２は、記憶部２１と、処理部２２と、通信部（情報処理装置通信部）２３とを備える。情報処理装置２は、例えばサーバ等のコンピュータとして構成されている。また、記憶部２１、処理部２２及び通信部２３は、ＣＰＵ、ＭＰＵ等のプロセッサ及びその周辺装置と、プロセッサが実行するプログラムとの組み合わせから構成された機能ブロックである。記憶部２１、処理部２２又は通信部２３を構成するプロセッサやプログラムは、各ブロックにそれぞれ設けられていてもよいし、複数のブロックで共用されていてもよい。
【００４５】
通信部２３は、端末１の通信部１４が送信した第１情報と第２情報とを受信する。さらに、通信部２３は、端末１の通信部１４が送信した端末１の識別情報やユーザの識別情報、あるいは第１情報と第２情報を生成する際に用いられた場所あるいは全体図についての情報を受信することができる。
【００４６】
記憶部２１は、第２情報に基づき指定位置を特定する情報と、第１情報に基づき指定位置の状況を特定する情報とを記憶する。
【００４７】
図９は、記憶部２１が記憶する第２情報に基づき指定位置を特定する情報の構成例を示した説明図である。図９に示した例で、記憶部２１は、場所の識別情報（すなわち場所の名称、図（７３）の識別情報等）と、指定位置の識別情報（例えば部屋の名称）と、各指定位置の範囲を示す座標とを対応付けて記憶する。なお、各指定位置の形状は、矩形に限らず、多角形状、楕円状等、任意の形状とすることができる。また、各指定位置の範囲を示す座標は、例えば、図８を参照して説明した全体図（７３）の左上隅の座標を原点Ｏとする所定の直交座標系における２点以上の座標の組で表すことができる。
【００４８】
図１０は、記憶部２１が記憶する、第１情報に基づき指定位置の状況を特定する情報の構成例を示した説明図である。図１０に示した例で、記憶部２１は、第１情報の内容に対応づけて、指定位置の状況を複数組記憶する。図１０に示した例で、記憶部２１は、第１情報の内容としてボタン６１から６５（ボタン６３から６５は後述）の識別情報を記憶する。さらに、記憶部２１は、ボタン６１から６５の識別情報に対応付けて、指定位置の状況を記憶する。この例では、指定位置の状況として、ボタン６１の１回の入力操作に対して１名の来客が、また、ボタン６２の１回の入力操作に対して１名のＶＩＰが、それぞれ対応付けられている。また、指定位置の状況として、ボタン６３の入力操作に対してスライドが、ボタン６４の入力操作に対して質疑が、また、ボタン６５の入力操作に対して５分前が、それぞれ対応付けられている。ここで、スライドは、スライド上映等の照明を落とした状態での指定位置の利用状態を意味する。質疑は、質疑応答等のための照明状態での指定位置の利用状態を意味する。そして、５分前は、打ち合わせ等の開始５分前の状態を意味する。
【００４９】
そして、処理部２２は、記憶部２１を参照して、通信部２３が受信した第２情報に対応する１又は複数の指定位置を特定し、第１情報に基づき指定位置の状況を特定し、特定した指定位置の状況を特定した指定位置に対応付けて記憶部２１に記憶する。
【００５０】
ここで、図１１を参照して、図１の情報処理装置２の動作例について説明する。図１１は、端末１から第１情報及び第２情報を受信する場合の情報処理装置２の動作の一例を説明するためのフローチャートである。
【００５１】
以下の例では、端末１において、図７に示したように次の３組の第１操作及び第２操作がユーザによって行われ、端末１から第１情報及び第２情報を含む所定形式の信号が送信されたものとする。この場合、第１情報は、ボタン６１が２回入力され、ボタン６２が１回入力されたことを示す。また、第２情報は、１回目のボタン６１の図（７１）上の入力位置が位置９１であること、２回目のボタン６１の図（７１）上の入力位置が位置９２であること、また、ボタン６２の図（７１）上の入力位置が位置９３であることを示す。
【００５２】
情報処理装置２では、端末１から第１情報及び第２情報を含む所定形式の信号が送信されると、通信部２３はこの信号を受信する（図１１のステップＳ２１）。
【００５３】
次に、処理部２２は、記憶部２１を参照し、第１情報及び第２情報に基づき、指定位置と指定位置の状況とを特定する（ステップＳ２２）。この例において、処理部２２は、まず、図１０に示した第１情報に基づき指定位置の状況を特定する情報を参照し、第１情報（２回のボタン６１の入力操作と１回のボタン６２の入力操作）に基づき、来客が３名で３名中１名がＶＩＰであるという状況を、指定位置の状況として特定する。次に、処理部２２は、図９に示した第２情報に基づき指定位置を特定する情報を参照して、第２情報（位置９１から９３の座標）に対応する指定位置として、図８に示した応接室Ａ７２ａを特定する。
【００５４】
次に、処理部２２は、ステップＳ２２で特定した指定位置の状況を特定した指定位置に対応づけて記憶部２１に記憶する（ステップＳ２３）。この例において、処理部２２は、例えば図１２に示したように、場所（新大橋Ｆ２）と指定位置（応接室Ａ）に対応付けて、在室者のうちＶＩＰでない来客が２名でＶＩＰの来客が１名であることを記憶部２１に記憶する。なお、図１２に示した例において、場所（新大橋Ｆ２）と指定位置（応接室Ａ）に対応付けて記憶されている社員の人数は、例えば、処理部２２が通信部２３及び設備制御装置３を介して入退出管理設備３３から取得した情報である。
【００５５】
次に、処理部２２は、端末１からの要求等に応じて記憶部２１に記憶した指定位置の状況を表す情報を端末１に対して提供したり、記憶部２１に記憶した指定位置の状況に応じて指定位置用の照明設備３１、空調設備３２等の設備を制御したりする（ステップＳ２４）。例えば、処理部２２は、設備制御装置３に対して所定の信号を送信することで、指定位置（応接室Ａ）に在室者ありとの状況に応じて、指定位置（応接室Ａ）用の照明設備３１と空調設備３２とを動作状態（オン）に制御することができる。また、処理部２２は、設備制御装置３に対して所定の信号を送信することで、指定位置（応接室Ａ）に来客ありとの状況に応じて、指定位置（応接室Ａ）用の音響設備３４から所定のＢＧＭを放送する制御を行うことができる。また、処理部２２は、設備制御装置３に対して所定の信号を送信することで、指定位置（応接室Ａ）に来客ありとの状況に応じて、指定位置（応接室Ａ）用の入退出管理設備３３のドアロックを解錠可能な状態に制御することができる。また、処理部２２は、図１２に示したように、場所（新大橋Ｆ２）と指定位置（応接室Ａ）に対応付けて、照明設備３１と空調設備３２のオン、オフ等の制御状態と、音響設備３４及び入退出管理設備３３(ドアロック)の制御状態とを記憶することができる。ただし、照明設備３１と空調設備３２の制御状態は、オン又はオフに限らず、明るさ、温度、湿度等の値で設定してもよい。
【００５６】
また、処理部２２は、例えば在室者なしの指定位置用の照明設備３１、空調設備３２又は音響設備３４をオフ状態に、そして、入退出管理設備３３のドアロックを解錠不可な状態に制御することができる。例えば、処理部２２は、図１２に示した例では応接室Ｂ及びＣ用の照明設備３１と空調設備３２と音響設備３４とをオフ状態に、そして入退出管理設備３３のドアロックを解錠不可な状態に制御している。また、５分前の状況が入力された応接室Ｄについては、照明設備３１と空調設備３２とをオン状態に、音響設備３４からは５分前を告げる所定の報知音声信号を出力し、そして入退出管理設備３３のドアロックを解錠可能な状態に制御している。なお、図１２に示した例では、スライド、質疑、及び５分前の各状況に対して、処理部２２は、入力操作が行われた時刻を記憶する。
【００５７】
次に、図１３及び図１４を参照して、情報処理システム１００の他の動作例について説明する。図１３及び図１４は、本実施形態において、表示部１１が表示する表示画面の他の例を示した図である。図１３及び図１４に示した表示画面１１ｅ及び１１ｆは、領域６に指定位置の状況を指定するボタン６２から６５を表示する。また、領域７には、図２に示した表示画面１１ａが表示したものと同一の図（７１）が表示されている。ボタン６３は、スライド上映等のため照明を落とした状態での指定位置の利用状態を指定位置の状況としてユーザが指定するためのボタンである。ボタン６４は、質疑応答等のため照明を着けた状態での指定位置の利用状態を指定位置の状況としてユーザが指定するためのボタンである。そして、ボタン６５は、指定位置の使用開始５分前の状態であることを指定位置の状況としてユーザが指定するためのボタンである。
【００５８】
ここで、表示部１１が図１３に示した表示画面１１ｅを表示した状態で、ユーザが図（７１）内の応接室Ａ７２ａの状況としてスライド上映等に適した状況を指定する入力操作を行う場合について説明する。この場合、所定の場所が新大橋ビルの２階フロアであり、指定位置が応接室Ａ７２ａである。また、指定位置の状況がスライド用の状況である。この場合、ユーザはスライド用の状況を指定するためのボタン６３に対して第１操作と第２操作とからなる入力操作を行う。
【００５９】
ユーザは、例えば所定のアプリケーションプログラムを起動し、場所の選択等を行うことで図１３に示した表示画面１１ｅを表示部１１に表示する。そして、図１３に示した表示画面１１ｅが表示部１１に表示された状態で、図１４に示したように、ユーザはまず領域６内のボタン６３にタッチし、続いて軌跡８４で示したようにボタン６３をドラッグして図（７１）上の応接室Ａ７２ａを表す図形の中でドロップする。このボタン６３にタッチする入力操作が、指定位置の状況を指定する第１操作である。また、ボタン６３を図（７１）の任意の位置９４までドラッグしてドロップする入力操作が図（７１）上で任意の位置を指定する第２操作である。
【００６０】
ここで入力操作が完了したとすると、通信部１４は、上述したようにして、第１操作に対応する第１情報と第２操作に対応する第２情報とを生成し、情報処理装置２へ送信する。情報処理装置２では、処理部２２が、受信した第１情報と第２情報に基づき、記憶部２１を参照して、指定位置と指定位置の状況とを特定する。処理部２２は、記憶部２１が記憶する図９及び図１０に示した各情報を参照し、指定位置が応接室Ａ７２ａであること及び指定位置の状況がスライドであることを特定する。そして、処理部２２は、特定した指定位置と特定した指定位置の状況と図１２に示したように記憶部２１へ記憶する。さらに、処理部２２は、記憶した指定位置と指定位置の状況とを表す情報を端末１へ提供したり、記憶した指定位置と指定位置の状況とに応じて設備を制御したりする。指定位置の状況がスライドである場合、処理部２２は、特定した指定位置用の照明設備３１をオフする指示を設備制御装置３に対して送信する。
【００６１】
なお、指定位置の状況として５分前が指定された場合、処理部２２は、空調設備３２をオンに制御し、指定位置の空調を使用に先立って開始することができる。図１２は、応接室Ｄに対して５分前の状況が３分前に指定されたことを示している。この場合、５分前が指定されたときに処理部２２は、応接室Ｄ用の照明設備３１をオンに制御する。ただし、５分前が指定されてから一定時間経過しても在室者が０人である場合、処理部２２は、空調設備３１をオフに制御するようにしてもよい。
【００６２】
また、スライドと質疑の指定位置の状況については、処理部２２は、入力操作が行われた時刻に基づき、最後に指定された状況を優先させる制御を行う。例えば、図１２に示したように、応接室Ｆに対して１０分前にスライドが指定され、１分前に質疑が指定された場合、質疑の指定を優先し、処理部２２は照明設備３１をオンに制御する。
【００６３】
なお、図１２に示した指定位置の状況を指定した時刻の記憶は、例えば在室者が有りから無しに変化した場合にリセットすることができる。
【００６４】
以上のように、本実施形態によれば、ユーザが、指定位置の状況を指定する第１操作と、表示部１１に表示された所定の場所を示す図（７１）において任意の位置を指定する第２操作とを行うことで、処理部２２が、指定位置と指定位置の状況とを特定し、特定した指定位置の状況を特定した指定位置に対応付けて記憶部２１に記憶する。ユーザは、入力操作として指定位置の状況を指定する第１操作と図上で任意の位置を指定する第２操作との２つの操作を行うだけであり、例えば、入力操作を、２タッチ又は１タッチとスライドによる簡単な操作とすることができる。よって、ユーザインターフェースの良好な操作性を容易に確保することできる。ここで、第１操作は、例えば、所定のアイコンに対するタッチあるいはアイコンのドラッグの開始とすることができる。また、第２操作は、図上の任意の位置に対するタッチあるいはドラッグしたアイコンの図上の任意の位置へのドロップとすることができる。
【００６５】
なお、本発明の実施の形態は、上記のものに限定されない。例えば、ユーザの権限を、操作を行うことができる者と、情報を閲覧することはできるが操作することはできない者とに分けるなど、操作・閲覧を許可する権限を設定してもよい。また、表示部１１に表示する図（７１）は、実空間の位置関係に対応する平面図であってもよいし、図内の位置関係を分かりやすく変形して表示したものであってもよい。また、図（７１）は実際に撮像された画像を含むものであってもよい。
【００６６】
また、例えば図２に示した処理内容を特定するボタンを表示する領域６では、ユーザがフリック操作すなわち入力面を上下又は左右にはじく操作を入力することで、表示するボタンを切り換えることができるようにしてもよい。
【００６７】
また、情報処理装置２において処理部２２は、端末１からの要求に応じて、記憶部２１に記憶した、在室者、スライド、質疑、５分前等の指定位置の状況を示す情報を端末１に対して提供し、端末１の表示部１１に例えば入力時と同様の表示画面を用いて表示することができる。すなわち、複数の端末１と、情報処理装置２とを用いることで複数のユーザは在室情報を共有することができる。その際、指定位置の状況を示す情報に複数段階の閲覧権限を設定することができる。例えば、ユーザＡが図７に示した応接室Ａ７２ａの在室者の情報を入力した場合に、他のユーザＢ及びユーザＣが当該情報を閲覧するときには閲覧権限によって次のように表示内容を異ならせることができる。例えばユーザＢが詳細情報の閲覧権限を有し、ユーザＣが詳細情報の閲覧権限を有していない場合、情報処理装置２は、ユーザＢに対しては図１５に表示画面１１ｇとして示した詳細情報を提供し、ユーザＣに対しては図１６に表示画面１１ｈとして示した一括情報を提供する。この場合、図１５に示した表示画面１１ｇでは、応接室Ａ７２ａの在室者が来客３名でうち１名がＶＩＰであることを示す３個のアイコン１０１〜１０３が表示されている。一方、図１６に示した表示画面１１ｈでは、応接室Ａ７２ａに在室者があることを示す１個のアイコン１０４が表示されている。このように、処理部２２は、記憶部２１に記憶した指定位置の状況を他の端末に対して提供する際に、権限に応じて異なる態様で他の端末に対して同状況を提供することができる。
【００６８】
なお、本発明の実施の形態では、情報処理装置２と設備制御装置３等との間で次のように在室情報を共有することができる。また、各端末１は、設備制御装置３等から在室情報の提供をうけることができる。
（１）端末１で、ユーザが、図５等を参照して説明したようにして来客者情報を特定するアイコンを選択（ドラッグ）して、会議室（入室エリア）まで移動（ドロップ）し、来客者情報（第１情報）・依頼位置（第２情報）を指定する。
（２）（１）で指定された来客者情報・依頼位置を端末１から情報処理装置２（サーバ）へ送信する。
（３）情報処理装置２で受信した端末１からの送信内容から図１２を参照して説明したような在室（在エリア）管理情報を更新する。
（４）情報処理装置２から設備制御装置３に対して在室（在エリア）管理情報が更新されたことを更新内容とともに通知する。
（５）設備制御装置３は、自らが管理する在室（在エリア）管理更新情報を更新し、各端末１からの問い合わせに対して提供する表示内容を更新する。
（６）（１）〜（４）の後、さらに、各ユーザの権限に応じて、情報処理装置２あるいは設備制御装置３は、送信する在室（在エリア）管理情報を変更することができる。
（７）（１）〜（４）の後、設備制御装置３は、在室（在エリア）管理情報から設備機器の自動制御が可能である。例えば、来客で照明自動ＯＮ、ＶＩＰ入室時は冷房温度を低め等の制御が可能である。
（８）（１）〜（４）の後、設備制御装置３は、在室（在エリア）管理情報を他のシステム（入退出管理設備３３等を統合管理する入退室管理システム等）に送信可能である。これによれば、設備制御装置３と情報を共有する他の入退室管理システム等側でも在室人数管理等を行っている場合、来客者のみになっても在室人数が０人となることが防止可能等の効果が得られる。
（９）（１）〜（４）の後、設備制御装置３は、在室（在エリア）管理情報から音響機器の自動制御が可能である。例えば、社外来客の場合、マスキングＢＧＭを自動で流す等の制御が可能である。
【００６９】
また、本発明の実施の形態によれば、次の課題を解決することができる。例えば、在室情報を札等を用いて管理していた場合、来客応対者がその都度、処理する必要があるが、この処理を省略することができる。また、入退室管理システム利用の場合、カード等を持たない入室者（来客者等）の状況が反映されないことがあるが、本実施形態によればカード等を持たない入室者の状況を容易に反映することができる。また、会議室予約システム利用の場合、予約情報で表示するため、実際の利用状況とは異なる可能性があるが、本実施形態によれば実際の利用状況を各端末に容易に表示することができる。
【００７０】
以上、本発明の実施形態について説明したが、図１の情報処理システム１００の各装置は、内部にコンピュータシステムを有している。そして、上述した処理に関する一連の処理の過程は、プログラムの形式でコンピュータ読み取り可能な記憶媒体に記憶されており、このプログラムをコンピュータが読み出して実行することによって、上記処理が行われる。ここで、コンピュータ読み取り可能な記憶媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。また、ここでいう「コンピュータシステム」とは、ＯＳ等も含むものとする。
【００７１】
そして、端末１又は情報処理装置２における各処理の全部又は一部の処理は、ＣＰＵ等の中央演算処理装置がＲＯＭやＲＡＭ等の主記憶装置に上記プログラムを読み出して、情報の加工、演算処理を実行することにより、実現されるものである。勿論、情報処理システム１００を構成する各処理部は専用のハードウェアにより実現されるものであってもよい。
【００７２】
また、本発明の実施の形態は、上述の図示例にのみ限定されるものではなく、本発明の要旨を逸脱しない範囲内において種々変更を加え得ることは勿論である。
【００７３】
また、図４及び図１１に示す手順は、一例を示すものであり、適用するシステムに応じて、同様の手順を複数繰り返し実施したり、一部を追加したり一部を省略したりすることができる。
【００７４】
また、情報処理装置２の全部又は一部の機能を仮想化させて、クラウドサーバとして構成してもよい。また、情報処理装置２に設備制御装置３の機能を設けて、照明設備３１、空調設備３２等の制御を情報処理装置２で実現してもよい。
【００７５】
また、端末１の操作に基づいて、指定位置の状況を指定した場合、情報処理装置２は、その入力対する処理の結果を端末１にフィードバックする。例えば、端末１にフィードバックした結果を出力する方法として、端末１から音を出力させたり、端末１を振動させたりする等の方法が挙げられる。
【００７６】
また、端末１に表示する平面図（例えば図（７１）等）は、端末１の位置、又は、端末１のユーザの位置に基づいて選択された範囲が表示されるようにしてもよい。例えば、建物には、端末１の位置、又は、端末１のユーザの位置を検出する位置検出システムが設けられている。制御システムは、位置検出システムによって検出された端末１の位置、又は、端末１のユーザの位置を位置検出システムから所得する。
情報処理装置２は、取得した位置情報に基づいて定めた範囲の平面図を端末１に表示させるように端末１を制御する。その範囲の平面図を表示させる際に、情報処理装置２は、取得した位置情報による端末１の位置、又は、端末１のユーザの位置が、端末１に表示する平面図の中心になるようにする。
【００７７】
また、端末１から指定した範囲の対象を指定できない場合がある。例えば、指定した範囲に、選択可能な対象物などのものが存在していないにもかかわらず、ユーザが誤って上記の存在しないものを指定した場合、端末１から指定した範囲の対象を指定できない状況が生じる。このような場合、情報処理装置２は、端末１からの要求により、指定した範囲の対象を選択（指定）できなかったことを端末１に表示する。例えば、情報処理装置２は、選択できた場合に表示する線（なぞる操作の軌跡）やドロップしたアイコンの表示を、選択できなかった場合に表示させないようにする。又は、上記の選択できなかった場合に、端末１の画面に警告の表示を行ったり、端末１においてビープ音などのアラーム音を出力したり、端末１を振動させたりするなどの方法で警告を出力するようにしてもよい。
【符号の説明】
【００７８】
１００  情報処理システム、
１  端末、１１  表示部、１２  入力部、１３  タッチパネル、１４  通信部、
２  情報処理装置、２１  記憶部、２２  処理部、２３  通信部、
３  設備制御装置、３１  照明設備、３２  空調設備、３３  入退出管理設備、
３４  音響設備
【図１】
2016167225.tif 000003
【図２】
2016167225.tif 000004
【図３】
2016167225.tif 000005
【図４】
2016167225.tif 000006
【図５】
2016167225.tif 000007
【図６】
2016167225.tif 000008
【図７】
2016167225.tif 000009
【図８】
2016167225.tif 000010
【図９】
2016167225.tif 000011
【図１０】
2016167225.tif 000012
【図１１】
2016167225.tif 000013
【図１２】
2016167225.tif 000014
【図１３】
2016167225.tif 000015
【図１４】
2016167225.tif 000016
【図１５】
2016167225.tif 000017
【図１６】
2016167225.tif 000018